(57)【要約】 【課題】蔓の特性を十分に活用し、かつ素材としての蔓の風合いを十分に残した蔓オブジェの加工が容易に実施できる蔓オブジェの加工方法を提供すること。【解決手段】  蔓４を巻きつける際、例えば床１などに固定された規定の大きさの柱体３に何点か接触する様に巻きつけることで、所定の内径の内空間を確保し、かつその時点の形状を確保する意味で一部クロスしてかつ隣り合う蔓４，４同士を所定の固定手段５で固定する。そして巻きつけおよび固定の完了した蔓を前記柱体から抜き取ることにより、蔓オブジェを得る。【選択図】図３
2008137388.tif 000002
【特許請求の範囲】
【請求項１】
比較的強固に固設された柱体に対して、蔓を巻きつける工程、
蔓を巻きつける工程において蔓同士が一部クロスするように配する工程、
前記一部クロスしてかつ隣り合う蔓同士を所定の固定手段で固定する工程、
上記工程によって巻きつけおよび固定の完了した蔓を前記柱体から抜き取る工程、
からなる蔓オブジェの加工方法。
【請求項２】
前記蔓同士を固定する工程において、重なり合う蔓同士に対して前記柱体の方向に向けてビスを螺入するようにした請求項１に記載の蔓オブジェの加工方法。
【請求項３】
前記柱体が、既設構造物に対して立設され、その先が自由端になっている柱体である請求項１または２に記載の蔓オブジェの加工方法。
【請求項４】
前記柱体が、長手方向に同形もしくは、先細り形になっている請求項３に記載の蔓オブジェの加工方法。
【請求項５】
一本もしくは複数本の蔓が環状に巻きつけられている蔓オブジェであって、
巻きつけられている前記蔓に、蔓同士が内外に重なり合うクロス部が設けられ、前記クロス部において蔓同士が所定の固定手段で固定されている蔓オブジェ。
【請求項６】
前記蔓同士が内外に重なり合うクロス部が、外側の蔓を貫通し、かつその内側に位置する蔓に貫通されるビスで固定されている請求項１に記載の蔓オブジェ。
【発明の詳細な説明】
【技術分野】
【０００１】
この発明は採取した自然の蔓を用いて製造する蔓オブジェの加工方法および蔓オブジェに関する。
【背景技術】
【０００２】
蔓は、植林の阻害植物であるばかりか、掃った後の蔓は、その処分に労力がかかるばかりか、燃焼させると地球環境に悪い。しかし現状では、燃焼させるか地中に埋めるしか処分の方法がないのが現状である。
【発明の開示】
【発明が解決しようとする課題】
【０００３】
発明者らは、これら廃棄されるべき蔓を利用して鑑賞に向くオブジェ、例えば観葉植物の鉢カバー、生花の花瓶カバー、容器の覆い、造花のアレンジ用カバー、そして立体オブジェなどを、蔓を利用して製造することを開始した。
【０００４】
しかし蔓の性質として、施採取して時間の経っていない蔓は変形可能であるものの、所定時間が経つと変形加工不能になる特性があると共に、変形加工時に復元する力は極めて大きく、比較的太い蔓の加工は困難性を伴うことになる。
【０００５】
したがって本発明は、上記の蔓の特性を十分に活用し、かつ素材としての蔓の風合いを十分に残した蔓オブジェの加工方法および蔓オブジェを提供することを目的とする。
【課題を解決するための手段】
【０００６】
以上の課題を解決するために、本発明の蔓オブジェの加工方法は、
比較的強固に固設された柱体に対して、蔓を巻きつける工程、
蔓を巻きつける工程において蔓同士が一部クロスするように配する工程、
前記一部クロスしてかつ隣り合う蔓同士を所定の固定手段で固定する工程、
上記工程によって巻きつけおよび固定の完了した蔓を前記柱体から抜き取る工程、
からなる。
この特徴によれば、蔓を巻きつける際、例えば床などに固定された規定の大きさの柱体に何点か接触する様に巻きつけることで、所定の内径を確保し、かつその時点の形状を確保する意味で一部クロスしてかつ隣り合う蔓同士を所定の固定手段で固定する。そして巻きつけおよび固定の完了した蔓を前記柱体から抜き取ることにより、蔓の特性を十分に活用し、かつ素材としての蔓の風合いを十分に残した蔓オブジェの加工が容易に実施できることになる。
【０００７】
本発明の蔓オブジェの加工方法は、前記蔓同士を固定する工程において、重なり合う蔓同士に対して前記柱体の方向に向けてビスを螺入することが好ましい。
このようにすれば、重なり合う蔓同士に対して前記柱体が支持構造体として機能し、ビス類の螺入が容易となるばかりか、外側の蔓と、内側に位置する蔓いずれにもビスが螺入し、互いの接合が確実なものとなる。
【０００８】
本発明の蔓オブジェの加工方法は、前記柱体が、既設構造物に対して立設され、その先が自由端になっている柱体であることが好ましい。
このようにすれば、前記柱体を移動もしくは形状を変化させることなく、柱体の先端から容易に蔓の加工体を抜き出すことができ、柱体を何回でも利用できることになる。
【０００９】
本発明の蔓オブジェの加工方法は、前記柱体が、長手方向に同形もしくは、先細り形になっていることが好ましい。
このようにすれば、柱体の先端から容易に蔓の加工体を抜き出すことができる。
【００１０】
以上の課題を解決するために、本発明の蔓オブジェは、一本もしくは複数本の蔓が環状に巻きつけられている蔓オブジェであって、巻きつけられている前記蔓に、蔓同士が内外に重なり合うクロス部が設けられ、前記クロス部において蔓同士が所定の固定手段で固定されている。
この特徴によれば、蔓が環状に巻きつけられている蔓オブジェであるため、ごく自然な蔓の形態、すなわち蔓が木に巻きついている様態をあらわすオブジェである一方、蔓同士が内外に重なり合うクロス部が設けられ、このクロス部において蔓同士が所定の固定手段で固定されているため、形状保持が確実なものとなる。
【００１１】
本発明の蔓オブジェは、前記蔓同士が内外に重なり合うクロス部が、外側の蔓を貫通し、かつその内側に位置する蔓に貫通されるビスで固定されていることが好ましい。
このようにすれば、このようにビスで固定された蔓は、前記したように蔓の経時変化で硬直化する際に蔓自体に収縮が働く、この現象はビスの頭部を同時に蔓の表面内側に引き込む働きがあり、ビスの頭部が見えにくくなり製品として外観が良いものとなる。
【発明を実施するための最良の形態】
【００１２】
この発明の実施形態を図で説明する。
【００１３】
床１上に設置された固定台座２に強固にされた適度の長さの、例えば円柱状の柱体３を用意する（図１）。そして図１には、この比較的強固に固設された柱体３に対して、蔓４を巻きつける工程が示されている。ここで、変形可能な状態の蔓４を何点か接触した状態で巻きつける。蔓４は、瘤や極端な屈曲部が多数箇所存在し、それらの存在によりどの点が柱体３に当接するか予測はできないが、少なくとも多数の点で柱体３に当接することになる。
【００１４】
続いて図２、図３に示すように、蔓を巻きつける工程において蔓４同士が一部クロスするように蔓４を配する。前記一部クロスしてかつ隣り合う蔓４，４同士を所定の固定手段ここではビス５で固定する。ここで内側に位置する蔓４が柱体３に接触している部分にクロス部分を用意し、その位置にビス５を螺入したり、打ち込むと良い。この蔓同士を固定する工程において、重なり合う蔓４，４同士に対して前記柱体３の方向に向けてビス５を螺入することが好ましい。このようにすれば、重なり合う蔓４，４同士に対して前記柱体３が支持構造体として機能し、ビス類の打ち込みが容易となる。なお、クロス部分が前記柱体３の当接箇所である必要はないが、それらが近接しているほうが容易ことは明らかである。
【００１５】
最後に、上記工程によって巻きつけおよび固定の完了した蔓４を前記柱体３から抜き取ることにより、蔓オブジェ４４が完成する。
【００１６】
このように、蔓４を巻きつける際、例えば床などに固定された規定の大きさの柱体３に何点か接触する様に巻きつけることで、所定の内径の内空間３３（図５）を確保した蔓オブジェ４４となる。また、その時点の形状を確保する意味で一部クロスしてかつ隣り合う蔓４，４同士をビス５などの固定手段で固定しながら巻き付けを行うため、蔓はその弾力性による復元が抑止され、蔓オブジェ４４の製作工程が容易となる。そして巻きつけおよび固定の完了した蔓を前記柱体３から抜き取ることにより、蔓の特性を十分に活用し、かつ素材としての蔓の風合いを十分に残した蔓オブジェの加工が容易に実施できることになる。
【００１７】
ここで前記柱体３が、既設構造物に対して立設され、その先が自由端になっている柱体であることが好ましく、このようにすれば、前記柱体３を移動もしくは形状を変化させることなく、柱体３の先端から容易に蔓の加工体である蔓オブジェ４４を抜き出すことができ、柱体３を何回でも利用できることになる。また、前記柱体３が長手方向に同形もしくは、先細り形になっていることが好ましく、このようにすれば、柱体３の先端から容易に蔓の加工体である蔓オブジェ４４を抜き出すことができる。
【００１８】
このようにして完成された蔓オブジェ４４は、一本の蔓４で構成しても良いが、複数本の蔓４を重複して巻くことも可能であり、このようにすれば蔓の巻きが複雑化し、重厚さが増すことになる。本発明は蔓４が環状に巻きつけられている蔓オブジェ４４であるため、ごく自然な蔓の形態、すなわち蔓が木に巻きついている様態をあらわすオブジェである一方、蔓同士が内外に重なり合うクロス部が設けられ、このクロス部において蔓同士が所定の固定手段で固定されているため、形状保持が確実なものとなる。なお、乾燥したことで変形不能になった蔓４からビス等を外すことも、複雑に絡んだ蔓状態の蔓オブジェ４４であれば可能である（図２〜６）。
【００１９】
特に本実施例では、蔓オブジェ４４は、前記蔓４，４同士が内外に重なり合うクロス部において、外側の蔓４を貫通し、かつその内側に位置する蔓４に貫通されるビスで固定されていることが好ましい。この実施例のビス５は、図７に示されるように頭部５１とネジ部５２とからなっており、このネジ部５２は、外側の蔓４に螺入固定され、更にその内側に位置する蔓４にも螺入固定されている。ビス５を捩じ込んだ直後は、ビスの頭部５１が外側の蔓４の表面に露出するが、蔓４は、前記したように蔓の経時変化で硬直化する際に蔓自体に収縮が働く、この収縮に当たり、ネジ部５２はその凹凸で長さ方向の収縮が抑えられ、一点差線で示すような収縮が助長され、この現象はビスの頭部を同時に蔓４の表面内側に引き込んだような結果を誘引し、ビスの頭部が見えにくくなり製品として外観が良いものとなる。さらにビス５は蔓４に対して直行する方向に捩じ込まれることになり、蔓４に捩じ込まれるネジ部５２の凹凸は、蔓が持つ特有の長手方向の繊維方向と相俟って、互いに移動を許さない強固な固定状態を与えることとなる。
【００２０】
なお、柱体３は最低数の箇所で蔓と接触すれば良い為、円形状でも三角形状でも、または多角形状でも良い。
【００２１】
例えば鉢カバーに使用する際、鉢カバーの大きさや形に応じた太さの柱を何通りも床に固定しておくことによって、蔓オブジェ４４における種々の内径の内空間３３を柔軟に形成することも可能である。
【００２２】
図８は、観葉植物６の鉢７の部分を、蔓オブジェ４４における内空間３３に収納した実施例であり、蔓オブジェ４４で鉢７の部分が隠蔽されることにより、より自然な趣の観葉植物を見せることができる。
【００２３】
図９は、蔓オブジェ４４における内空間３３にオアシス８を収納し、ここに生花や、アートフラワーを刺し、蔓４と草花との調和したオブジェとしても利用できる。
【図面の簡単な説明】
【００２４】
【図１】固設された柱体に対して、蔓を巻きつける工程を示す斜視図である
【図２】一部クロスしてかつ隣り合う蔓同士を所定の固定手段で固定する工程を示す斜視図である
【図３】一部クロスしてかつ隣り合う蔓同士を所定の固定手段で固定する工程を示す斜視図である
【図４】巻きつけおよび固定の完了した蔓を前記柱体から抜き取る工程を示す斜視図である
【図５】蔓オブジェを示す斜視図である
【図６】クロス部分の拡大図である
【図７】図６のＡ−Ａ断面図である
【図８】蔓オブジェで鉢の部分が隠蔽した状態の斜視図である
【図９】内空間にオアシスを収納した状態の斜視図である
【符号の説明】
【００２５】
１    床
２    固定台座
３    柱体
４    蔓
５    ビス
６    観葉植物
７    鉢
８    オアシス
３３  内空間
４４  蔓オブジェ
【図１】
2008137388.tif 000003
【図２】
2008137388.tif 000004
【図３】
2008137388.tif 000005
【図４】
2008137388.tif 000006
【図５】
2008137388.tif 000007
【図６】
2008137388.tif 000008
【図７】
2008137388.tif 000009
【図８】
2008137388.tif 000010
【図９】
2008137388.tif 000011